(57)【要約】【課題】  飽和脂肪酸を減らし、且つトランス酸量を減らした上で、マーガリンとして求められる硬さや可塑性などの物性を満足する油中水型乳化油脂組成物を提供すること。【解決手段】  油中水型乳化油脂組成物として、油中水型乳化油脂組成物全体中、トランス酸の含有量が３重量％以下、油脂の含有量が８４〜４０重量％、且つ水の含有量が１４．５〜４０重量％の油中水型乳化油脂組成物であって、該油脂は、油脂全体中６〜１６重量％のカカオバター及び／又は油脂全体中０．５〜５重量％のロウを含み、且つ未加工のパーム油、シア脂、パームステアリンからなる群より選ばれる少なくとも１種を油脂全体中１２〜２５重量％含有し、さらに油脂の構成脂肪酸の内、飽和脂肪酸残基が３０〜１０重量％且つ不飽和脂肪酸残基が７０〜９０重量％であることを特徴とする油中水型乳化油脂組成物を使用すること。【選択図】  なし。【特許請求の範囲】
【請求項１】
油中水型乳化油脂組成物全体中、トランス酸の含有量が３重量％以下、油脂の含有量が８４〜４０重量％、且つ水の含有量が１４．５〜４０重量％の油中水型乳化油脂組成物であって、該油脂は、油脂全体中６〜１６重量％のカカオバター及び／又は油脂全体中０．５〜５重量％のロウを含み、且つ未加工のパーム油、シア脂、パームステアリンからなる群より選ばれる少なくとも１種を油脂全体中１２〜２５重量％含有し、さらに油脂の構成脂肪酸の内、飽和脂肪酸残基が３０〜１０重量％且つ不飽和脂肪酸残基が７０〜９０重量％であることを特徴とする油中水型乳化油脂組成物。
【請求項２】
さらにＤＥ２〜３０のデキストリンを含有することを特徴とする請求項１記載の油中水型乳化油脂組成物。
【請求項３】
デキストリンの含有量が油中水型乳化油脂組成物全体中０．５〜２０重量％である請求項２記載の油中水型乳化油脂組成物。
【請求項４】
さらにイヌリンを含有することを特徴とする請求項１〜３の何れかに記載の油中水型乳化油脂組成物。
【請求項５】
イヌリンの含有量が油中水型乳化油脂組成物全体中０．５〜２０重量％の範囲である請求項４に記載の油中水型乳化油脂組成物。
【発明の詳細な説明】
【技術分野】
【０００１】
本発明は、飽和脂肪酸含量及びトランス酸含量の低減化に向けたパン・菓子練り込み用油中水型乳化油脂組成物に関するものである。
【背景技術】
【０００２】
一般的にショートニング・マーガリン・バターなどは、パン・菓子の製造において一定の硬さが必要なため、飽和脂肪酸（油中水型乳化油脂組成物中：約２５〜６０重量％）及びトランス酸（油中水型乳化油脂組成物中：約1０〜４５重量％）の含量が高く、それらの摂取は健康に良くない可能性が指摘されており、最近特にトランス酸を嫌う消費者が急増している。アメリカＦＤＡではトランス酸の心臓病疾患などから２００６年１月１日にトランス酸含量の表示が義務化された。また飽和脂肪酸についても、既に表示義務化されトランス酸同様に健康を害するなどとの見解が示さている。また、カナダで２００３年１月１日からトランス酸・飽和脂肪酸含量表示の義務化などもあり、摂取量などに関係無く、これらの存在が健康を害する印象になりつつあるのがトレンドである。加えて、昨今安全・安心としての消費者意識の高まりがあり、出来るだけ不安な食品は避ける傾向がある。油脂加工製造においても今まで長年油脂加工の基本であった油脂を硬化する方法により、飽和脂肪酸・トランス酸を増加させること及びエステル交換・溶剤分別などの天然でない油脂加工も好ましくないと考える消費者が増えてきているのが実情である。
【０００３】
またショートニング・マーガリン・バターなどは、季節により物性が変わるため、適宜融点・固体脂含量などを調整し、製造における加工作業性を維持している。それらの調整は、主に天然の油脂を硬化・エステル交換などの油脂加工を行い、飽和脂肪酸量を増やすことで硬度を得るものである。また、溶剤などを利用して油脂の分別などを施し、固体脂含量を高めた油脂を配合したものも製品化されている。また、トランス酸の低減化を試みた油中水型乳化油脂組成物に関して特許文献１に記載があるが、その中では飽和脂肪酸は、Ｃ１６以上の飽和脂肪酸含量３５〜６０重量％、Ｃ１４以下の飽和脂肪酸含量２０〜５０重量％、不飽和脂肪酸含量１０〜３０重量％であり、実質的にトランス酸を含まないことを特徴とする可塑性油脂であるが、不飽和脂肪酸含量が少なく、硬すぎる問題がある。また、飽和脂肪酸含量が全構成脂肪酸に対して２５重量％以下に低減された油脂組成物又はそのエマルションを１０〜１５０ＭＰａの範囲で加圧晶析を行うことが特許文献２に記載されている。また特許文献３には、融点が３０℃以上のラウリン系油脂を１０重量％〜４０重量％含有し、且つ油脂成分中の飽和脂肪酸の含有量が全脂肪酸量の３５重量％以下であり、トランス酸含量が全脂肪酸量の５重量％以下である油中水型乳化油脂組成物が記載されている。しかし、具体的な開示として実施例の記載では、油脂成分中の飽和脂肪酸の含有量が全脂肪酸量の２９．４重量％、３０．０重量％しかなく、またトランス酸含量は、全脂肪酸全量中０．１重量％、０．２重量％である。さらに特許文献３における油脂は、ヤシ油、パーム核油、パーム核油オレイン、パーム油などであるが何れも硬化を行った加工油であり、カカオバター、ロウ、且つ未加工のパーム油、シア脂、パームステアリンは含有していない。一般的にラウリン系油脂の融点は、硬化を施さなければ３０℃以下であり、未加工のパーム油、シア脂、パームステアリンとは異なる。
【０００４】
飽和脂肪酸・トランス酸を単純に減少させると油中水型乳化油脂組成物の物性が著しく軟質変化し、そのために今まで得られていた製パン・菓子の加工性が劣るものになって、その結果、パン・菓子の見栄え・食感・風味など食品として満足のゆくものでなくなってしまうことになっている。何れにしても、これまでは飽和脂肪酸を減らし、且つトランス酸量を減らした上で、マーガリンとして求められる硬さや可塑性などの物性を満足する油中水型乳化油脂組成物がなかった。
【特許文献１】特開２００１−２６２１８１号公報
【特許文献２】特開２００１−２５４０９３号公報
【特許文献３】特開２００２−１６１２９４号公報
【発明の開示】
【発明が解決しようとする課題】
【０００５】
飽和脂肪酸を減らし、且つトランス酸量を減らした上で、マーガリンとして求められる硬さや可塑性などの物性を満足する油中水型乳化油脂組成物を提供すること。
【課題を解決するための手段】
【０００６】
本発明者らは上記課題を解決するために鋭意研究を重ねた結果、飽和脂肪酸を減らし、且つトランス酸量を減らした油中水型乳化油脂組成物でも、カカオバターやロウを特定量含んでいれば、マーガリンとして求められる硬さや可塑性などの物性を満足できることを見出し、本発明を完成するに至った。
【０００７】
即ち、即ち、本発明の第一は、油中水型乳化油脂組成物全体中、トランス酸の含有量が３重量％以下、油脂の含有量が８４〜４０重量％、且つ水の含有量が１４．５〜４０重量％の油中水型乳化油脂組成物であって、該油脂は、油脂全体中６〜１６重量％のカカオバター及び／又は油脂全体中０．５〜５重量％のロウを含み、且つ未加工のパーム油、シア脂、パームステアリンからなる群より選ばれる少なくとも１種を油脂全体中１２〜２５重量％含有し、さらに油脂の構成脂肪酸の内、飽和脂肪酸残基が３０〜１０重量％且つ不飽和脂肪酸残基が７０〜９０重量％であることを特徴とする油中水型乳化油脂組成物に関する。好ましい実施態様は、さらにＤＥ２〜３０のデキストリンを含有することを特徴とする上記記載の油中水型乳化油脂組成物に関する。より好ましくは、デキストリンの含有量が油中水型乳化油脂組成物全体中０．５〜２０重量％である上記記載の油中水型乳化油脂組成物、更に好ましくは、さらにイヌリンを含有することを特徴とする上記記載の油中水型乳化油脂組成物、最も好ましくは、イヌリンの含有量が油中水型乳化油脂組成物全体中０．５〜２０重量％の範囲である請求項４に記載の油中水型乳化油脂組成物、に関する。
【発明の効果】
【０００８】
本発明の油中水型乳化油脂組成物を用いれば、飽和脂肪酸を減らし、且つトランス酸量を減らした上で、マーガリンとして求められる硬さや可塑性などの物性を満足できる。
【発明を実施するための最良の形態】
【０００９】
以下、本発明につき、さらに詳細に説明する。本発明の油中水型乳化油脂組成物は、未加工の食用油脂、カカオバターやロウなどの油脂を含有する油相部と水を主に含有し、好ましくはデキストリン及び又はイヌリンを含有し、更には必要に応じて呈味剤や乳製品などを含む水相部からなり、油脂中のトランス酸含量、即ちトランス酸残基の含有量が油中水型乳化油脂組成物全体中の３重量％以下であることが特徴である。油中水型乳化油脂組成物全体中のトランス酸含量は、油中水型乳化油脂組成物をガスクロマトグラフィーにより分析し、そのピーク面積比から求めることができる。
【００１０】
本発明における油脂とは、未加工の食用油脂、カカオバター及びロウのことである。前記油脂は、その構成脂肪酸全体中、不飽和脂肪酸残基は７０〜９０重量％且つ飽和脂肪酸残基は３０〜１０重量％が好ましく、不飽和脂肪酸残基は、７５〜８５重量％且つ飽和脂肪酸残基は、２５〜１５重量％がより好ましい。構成脂肪酸の構成比が前記の通りであると、好適に効果を発現できる。また油脂の含有量は、油中水型乳化油脂組成物全体中８４〜４０重量％が好ましい。
【００１１】
本発明の未加工の食用油脂とは、硬化・エステル交換などの油脂加工を施さない未加工の食用油脂であり、例えば菜種油、大豆油、パーム油、パーム核油、パームステアリン、カカオ脂、シア脂などの植物油脂、魚油、鯨油、牛脂、豚油などの動物油脂が挙げられ、それらの群から選ばれる少なくとも１種が用いられる。それらの中でも、パーム油、シア脂、パームステアリンを用いることが好ましい。未加工の食用油脂の含有量は、油中水型乳化油脂組成物全体中２〜２０重量％含有することがより好ましい。
【００１２】
本発明のカカオバターは、カカオバター代用脂も含む。カカオバター代用脂は、カカオバターの代用として用い得る油脂であれば特にその成分に限定はないが、例えば主にパーム油中融点画部からなるものが挙げられる。カカオバターの含有量は、油中水型乳化油脂組成物全体中６〜１６重量％が好ましい。カカオバターの含有量が６重量％より少ないと、油中水型乳化油脂組成物の硬さ不足で軟らかくパン生地の練り込み性が劣る場合があり、１６重量％より多いと、カカオバターの風味が強くなりすぎて、油中水型乳化油脂組成物としての風味が悪くなる場合がある。
【００１３】
また本発明のロウは、天然ロウであれば特に限定はなく、カウナウバロウ、キャンデリラロウ、ミツロウ、米ぬかロウ、モクロウなどが挙げられ、それらの内少なくとも１種用いることができる。ロウの含有量は、油中水型乳化油脂組成物全体中０．５〜５重量％が好ましい。ロウが０．５重量％より少ないと、油中水型乳化油脂組成物の硬さ不足となる場合があり、５重量％より多いと、ロウの特徴的な味が出過ぎて油中水型乳化油脂組成物としての風味が悪くなったり、融点が高くなり過ぎて、口溶けが劣るものとなる場合がある。カカオバターとロウは両方添加しても良いし、何れか一方でも本発明の効果を発現できる。カカオバターとロウは両方添加しても良いし、何れか一方でも本発明の効果を発現できる。
【００１４】
本発明の水の含有量は、油中水型乳化油脂組成物全体中１４．５〜４０重量％が好ましい。より好ましくは、２５〜３５重量％である。水の含有量が上記範囲にあれば、油中水型乳化油脂組成物の硬さ、パンなどの練り込み性・油脂の風味において充分な効果がでる。
【００１５】
本発明のデキストリンは、ＤＥ２〜３０の範囲が好ましく、デキストリンの含有量は油中水型乳化油脂組成物全体中に０．５重量％〜２０重量％が好ましく、より好ましくは１．０重量％〜５．０重量％である。上記範囲のデキストリンを含有させることで乳化状態が向上し、練り込み性が良くなる。
【００１６】
また本発明のイヌリンは、油中水型乳化油脂組成物全体中０．５重量％〜２０重量％が好ましく、より好ましくは、１．０重量％〜５．０重量％である。上記範囲のイヌリンを含有させることでパンがソフトで、口ごなれが良好になる。ここでパンがソフトとは、レオナーメーター（機器名：YAMADEN CREEP METER RE2-33005S、山電社製）でパンクラムの応力を測定した時の値が低いことを意味する。
【００１７】
本発明で任意に添加する呈味剤としては、特に限定はないが、卵、砂糖などが挙げられ、少なくとも１種用いることができる。また任意に添加する乳製品としては、バター・生クリーム・チーズなどが挙げられ、少なくとも１種用いることができる。
【００１８】
本発明の油中水型乳化油脂組成物の製造方法は、特に限定されるわけではないが以下に例示する。油脂、カカオバター及び／又はロウと水を混合し、予備乳化を行う。得られた予備乳化物をコンビネーター、ボテーターなどの急冷捏和機を用いて冷却捏和し、所定の容器に充填して油中水型乳化油脂組成物を得る。
【００１９】
本発明の油中水型乳化油脂組成物は、練り込み用・スプレッド等の用途に用いられる。
【実施例】
【００２０】
以下に実施例を示し、本発明をより具体的に説明するが、本発明はこれらの実施例に何ら限定されるものではない。なお、実施例において「部」や「％」は重量基準である。
【００２１】
＜油中水型乳化油脂組成物の硬さ評価法＞
実施例・比較例で得た油中水型乳化油脂組成物を予めペネ缶に充填し、１５℃の恒温水槽に２時間温調した後、ペネトロメーター・コーン（１０２．５ｇ、ＪＩＳ標準品）の先を油中水型乳化油脂組成物の表面に合わせてから落下させ、５秒後のコーン進入距離（単位：ｍｍ）を測定し、それを針入度（１５℃）として評価値とした。
【００２２】
＜油中水型乳化油脂組成物中のトランス酸量の測定法＞
実施例、比較例で得られた油中水型乳化油脂組成物に対し、ＧＣ法（基準油脂分析試験法、２００３年版）に準拠して、ガスクロマトグラフィー（機器名：６８９０Nガスクロマトグラフ、Agilent社製）を用いて、油中水型乳化油脂組成物中のトランス酸量の測定を実施した。
【００２３】
＜製パン性試験：捏ね上げ状態評価法＞
製パン時のノビとコシを熟練した作業員が評価した。その際の評価基準は以下の通りである。○：良好（生地を広げると半透明で均一な膜質を有すこと）、△：やや良好（生地を広げるとやや半透明でやや均一な膜質を有すこと）、×：不良（生地を広げると半透明でなく、均一でない膜質）。
【００２４】
＜製パン性試験：成型時生地状態評価法＞
製パン時の生地のこなれ及びソフトさを熟練した作業員が評価した。その際の評価基準は以下の通りである。○：良好（生地を広げると半透明で均一な膜質を有すこと）、△：やや良好（生地を広げるとやや半透明でやや均一な膜質を有すこと）、×：不良（生地を広げると半透明でなく、均一でない膜質）。
【００２５】
＜パンの硬さ評価法＞
実施例、比較例で得られたパンを２５℃で２４時間、４８時間、７２時間保管後に、そのパンクラムを２０ｍｍ厚に切り出して、レオナーメーター（機器名：YAMADEN  CREEP  METER  RE2-33005S、山電社製）で以下の条件で測定した。硬さ応力（Ｐａ）は、次式で求められる。
硬さ応力（Ｐａ）＝高さ（ｍｍ）／断面積（ｍｍ2）×１０-6
接触面積    ：４００ｍｍ2
プランジャー：４０ｍｍ
測定歪率    ：５０％
測定速度    ：１ｍｍ／ｓ
【００２６】
＜パンの凝集性評価法＞
実施例、比較例で得られたパンを２５℃で２４時間、４８時間、７２時間保管後に、そのパンクラムを２０ｍｍ厚に切り出して、レオナーメーター（機器名：YAMADEN  CREEP  METER  RE2-33005S、山電社製）で以下の条件で測定した。凝集性は、次式で求められる。
凝集性＝２回目記録曲線上の面積／１回目記録曲線上の面積
接触面積    ：４００ｍｍ2
プランジャー：４０ｍｍ
測定歪率    ：５０％
測定速度    ：１ｍｍ／ｓ
【００２７】
＜パンの官能評価法＞
実施例、比較例で得られたパンを２５℃で保管した後、熟練の３人のパネラーによりサンプル名ブラインド方式で試食評価し、総合的に評価した。その際の評価基準は以下の通りであった。○：良好（食感がソフト・口ごなれが良い）、△：やや良好（食感がややソフト・やや口ごなれよい）、×：不良（食感硬く、口ごなれ悪い）。
【００２８】
（実施例１）  油中水型乳化油脂組成物１の作製
全油脂中、ナタネ油７８重量％、パーム油２０重量％、カルナウバロウ２重量％を含有する油脂を約６０℃に温度調節しながらプロペラミキサーにて攪拌して油相部とし、一方水１００重量部及びデキストリン（ＤＥ１６）２０重量部を配合して溶解し、約６０℃に温度調節した水相部を油相部に添加し、乳化を約２０分行った後、マーガリン製造機急冷捏和して油中水型乳化油脂組成物１を得た。このとき、油相部と水相部の重量比は７０：３０であった。得られた油中水型乳化油脂組成物１の硬さを針入度として評価した。また油中水型油脂組成物を融解し油脂の戻し油上昇融点を測定、それらの結果を表１にまとめた。
【００２９】
【表１】
2007269909.tif 000002
【００３０】
（実施例２）  油中水型乳化油脂組成物２の作製
全油脂中、ナタネ油７８重量％、パームステアリン１１重量％、カカオバター１１重量％を含有する油脂を約６０℃に温度調節しながらプロペラミキサーにて攪拌して油相部とし、一方水１００重量部及びデキストリン（ＤＥ１６）２０重量部を配合して溶解し、約６０℃に温度調節した水相部を油相部に添加し、乳化を約２０分行った後、パーフェクター、コンビネーター、ボテーターなどのマーガリン製造機にて急冷捏和して油中水型乳化油脂組成物２を得た。このとき、油相部と水相部の重量比は７０：３０であった。得られた油中水型乳化油脂組成物２の硬さを針入度として評価した。また油中水型油脂組成物を融解し油脂の戻し油上昇融点を測定、それらの結果を表１にまとめた。
【００３１】
（実施例３）  油中水型乳化油脂組成物３の作製
全油脂中、ナタネ油７８重量％、パームステアリン１１重量％、カカオバター１１重量％を含有する油脂を約６０℃に温度調節しながらプロペラミキサーにて攪拌して油相部とし、一方水１００重量部及びイヌリン２０重量部を配合し溶解、約６０℃に温度調節した水相部を油相部に添加し、乳化を約２０分行った後、パーフェクター、コンビネーター、ボテーターなどのマーガリン製造機にて急冷捏和して油中水型乳化油脂組成物３を得た。このとき、油相部と水相部の重量比は７０：３０であった。得られた油中水型乳化油脂組成物３の硬さを針入度として評価した。また油中水型油脂組成物を融解し油脂の戻し油上昇融点を測定、それらの結果を表１にまとめた。
【００３２】
（比較例１）  油中水型乳化油脂組成物４の作製
全油脂中、ナタネ油７６重量％、パーム分別油（ＰＭＦ）２０重量％、パームステアリン４重量％を含有する油脂を約６０℃に温度調節しながらプロペラミキサーにて攪拌したものをパーフェクター、コンビネーター、ボテーターなどのショートニング、マーガリン製造機を使用して急冷捏和して油中水型乳化油脂組成物４を得た。得られた油中水型乳化油脂組成物４の硬さを針入度として評価した。また油中水型油脂組成物を融解し油脂の戻し油上昇融点を測定、それらの結果を表１にまとめた。
【００３３】
（比較例２）  油中水型乳化油脂組成物５の作製
全油脂中、ナタネ油７６重量％、パーム分別油（ＰＭＦ）２０重量％、パームステアリン４重量％を含有する油脂を約６０℃に温度調節しながらプロペラミキサーにて攪拌して油相部とし、一方約６０℃に温度調節し水を油相部に添加し、パーフェクター、コンビネーター、ボテーターなどのマーガリン製造機にて急冷捏和して油中水型乳化油脂組成物５を得た。このとき、油相部と水相部の重量比は９０：１０であった。得られた油中水型乳化油脂組成物５の硬さを針入度として評価した。また油中水型油脂組成物を融解し油脂の戻し油上昇融点を測定、それらの結果を表１にまとめた。
【００３４】
（比較例３）  油中水型乳化油脂組成物６の作製
全油脂中、綿実油を硬化（融点３１．０℃）した油脂８３．２重量％、油溶性乳化剤のエマルジーＭＳ０．３重量％を含有する油脂を約６０℃に温度調節しながらプロペラミキサーにて攪拌して油相部とし、約６０℃に温度調節した水１６．５重量％を、パーフェクター、コンビネーター、ボテーターなどのマーガリン製造機にて急冷捏和して油中水型乳化油脂組成物６を得た。このとき、油相部と水相部の重量比は８３．５：１６．５であった。得られた油中水型乳化油脂組成物の硬さを針入度として評価した。また油中水型油脂組成物６を融解し油脂の戻し油上昇融点を測定、それらの結果を表１にまとめた。
【００３５】
実施例１〜３の硬さのを表す針入度は、１５８〜１７１であった。これに対して比較例は、１５℃では測定出来ない程軟質な物性を示した。トランス酸量は、実施例、比較例とも油中水型油脂組成物全体中０．７７〜０．８４重量％であり、低減化が図ることができた。
【００３６】
（実施例４）  油中水型油脂組成物１の冷凍生地での製パン性試験
表２の配合及び表３の条件に従い、油中水型乳化油脂組成物１を用いて製パン性試験を行った。得られたパンの評価結果は、表４に示した。
【００３７】
【表２】
2007269909.tif 000003
【００３８】
【表３】
2007269909.tif 000004
【００３９】
【表４】
2007269909.tif 000005
【００４０】
（実施例５）  油中水型油脂組成物２の冷凍生地での製パン性試験
表２の配合及び表３の条件に従い、油中水型乳化油脂組成物２を用いて製パン性試験を行った。得られたパンの評価結果は、表４に示した。
【００４１】
（実施例６）  油中水型油脂組成物３の冷凍生地での製パン性試験
表２の配合及び表３の条件に従い、油中水型乳化油脂組成物３を用いて製パン性試験を行った。得られたパンの評価結果は、表４に示した。
【００４２】
（比較例４）  油中水型油脂組成物４の冷凍生地での製パン性試験
表２の配合及び表３の条件に従い、油中水型乳化油脂組成物４を用いて製パン性試験を行った。得られたパンの評価結果は、表４に示した。
【００４３】
（比較例５）  油中水型油脂組成物５の冷凍生地での製パン性試験
表２の配合及び表３の条件に従い、油中水型乳化油脂組成物５を用いて製パン性試験を行った。得られたパンの評価結果は、表４に示した。
【００４４】
実施例６は、特に成型時の生地の状態も良く、パンの硬さ応力も実施例４、実施例６が小さく良好であった。官能評価においては、実施例５が特に口ごなれが良く、実施例４、実施例６も良好であった。従来の多飽和多トランスタイプのマーガリンに比べてパンの口こなれ、パンの柔らかさなどの特性に優れたパンを得た。油中水型油脂組成物１〜３の冷凍生地での製パン性試験結果に対して、油中水型油脂組成物４，５の冷凍生地での製パン性試験においては、練り込み時間があまりに長く、生地のコシ・ノビ・成型性が劣ったため、その後の評価を中止した。